(57)【特許請求の範囲】
【請求項１】
Ａ相のコイルとＢ相のコイルとが、ロータの軸方向に並べて配置されたクローポール型のステッピングモータを備えたギアユニットであって、
前記Ａ相のコイルと前記Ｂ相のコイルの各々は、
外周にコイルが巻回されると共に、前記軸方向の両端に径方向に延びる鍔部を有するボビンと、
前記コイルから引き出された巻き線の端部が絡げられる複数の端子と、
前記複数の端子が圧入されて保持される端子保持部と、を備え、
前記Ａ相のコイルと前記Ｂ相のコイルうちの一方のコイルでは、当該一方のコイルが備える前記ボビンの鍔部のうち、前記軸方向で隣接する他方のコイル側の鍔部に、前記端子保持部が設けられており、
前記他方のコイルでは、当該他方のコイルが備える前記ボビンの鍔部のうち、前記一方のコイル側の鍔部とは反対側の鍔部に、前記端子保持部が設けられており、
前記複数の端子の各々は、前記径方向における前記端子保持部の外側に配置された共通の基板を介して、それぞれ対応する外部接続端子に接続されており、
前記外部接続端子は、前記径方向から見て前記一方のコイルと重なる位置に設けられており、
前記基板は、
当該基板の周縁に当接して、前記基板の前記軸方向および周方向の位置決めをする枠部と、
前記基板の前記端子保持部側の面の前記端子との干渉を避けた位置に当接して、前記基板の前記径方向の位置決めをする当接部と、を有する保持部材により支持されており、
前記保持部材は、前記端子保持部側の面の一部を、前記径方向から前記端子保持部材に接触させて設けられていることを特徴とするギアユニット。
【請求項２】
前記外部接続端子は、前記基板から前記一方のコイル側に延びたのち、前記複数の端子から離れる方向に屈曲している
ことを特徴とする請求項１に記載のギアユニット。
【請求項３】
ボビンの各々は、前記軸方向で間隔をあけて配置された一対の内ステータコアの間に配置されて、外周に巻回された前記コイルを、前記内ステータコアの内径側から軸方向に延びる極歯の径方向外側に位置させていると共に、樹脂インサート成形により、前記一対の内ステータコアと一体に形成されており、
前記Ａ相のコイルと前記Ｂ相のコイルは、前記軸方向で隣接する他のコイル側に位置する内ステータコア同士を互いに接触させて設けられており、
前記一方のコイルの端子保持部は、
当該一方のコイルが巻き回されるボビンの前記他方のコイル側の鍔部と一体に一部品で形成されていると共に、径方向から見て、前記接触させて設けられた内ステータコアと重なる位置に設けられており、
さらに、前記他方のコイルが巻き回されるボビンの前記一方のコイル側の鍔部と、一体または別体に形成されていることを特徴とする請求項１または請求項２に記載のギアユニット。
【請求項４】
前記Ａ相のコイルと前記Ｂ相のコイルの前記一対の内ステータコアは、樹脂インサート成形により、前記Ａ相のコイルと前記Ｂ相のコイルの前記ボビンと一体に形成されており、
前記Ａ相と前記Ｂ相のコイルの前記一対のステータコアは、少なくともその一部が、一体に形成された前記Ａ相のコイルと前記Ｂ相のコイルの前記ボビン内に埋め込まれていることを特徴とする請求項３に記載のギアユニット。
【請求項５】
前記Ａ相のコイルと前記Ｂ相のコイルの外周を囲む外ステータコアを備えており、前記外ステータコアには、前記径方向から見て、前記複数の端子と重なる位置に、前記複数の端子との干渉を避けるための切欠きが設けられていることを特徴とする請求項１から請求項４の何れか一項に記載のギアユニット。
【請求項６】
前記複数の端子は、前記端子保持部で周方向に並べて配置されていると共に、
前記外部接続端子は、前記回転軸の周方向に並べて複数配置されており、
前記複数の外部接続端子の前記周方向における間隔が、複数の端子の前記周方向における間隔よりも小さく設定されていることを特徴とする請求項１から請求項５の何れか一項に記載のギアユニット。
【請求項７】
前記ギアユニットは、前記ステッピングモータにより回転駆動される弁体で、流体の給排口を開閉するバルブ駆動装置であって、
基部の上面に固定されて基部との間に流体の導入室を形成する有底の筒壁部材を備え、
前記筒状部材は、
当該筒状部材の底部側に設けられて前記ロータの外周を所定間隔で囲むと共に、前記Ａ相のコイルと前記Ｂ相のコイルとが外挿される小径部と、
前記小径部に隣接して設けられて前記筒状部材の開口側に位置すると共に、前記Ａ相のコイルと前記Ｂ相のコイルを、前記ロータの径方向外側に位置決めする大径部と、を備え、
前記前記Ａ相のコイルと前記Ｂ相のコイルのうち、前記軸方向で前記大径部側に位置するコイルには、樹脂製の当接部が設けられており、
前記小径部に外挿された前記Ａ相とＢ相のコイルは、前記当接部を前記大径部に当接させて、前記軸方向の位置決めがされることを特徴とする請求項１から請求項６の何れか一項に記載のギアユニット。
【請求項８】
前記筒壁部材と、前記筒壁部材の外周に取り付けられた前記Ａ相のコイルおよび前記Ｂ相のコイルと、を収容する有底筒状のカバー部材と、
前記基部から、前記軸方向に沿って前記カバー部材側に延びると共に、前記径方向の外側から前記カバー部材に係合して、前記カバー部材を前記軸方向の所定位置で保持する保持部材と、をさらに備え、
前記軸方向から見て、前記保持部材は、前記複数の端子との干渉を避ける位置に設けられていることを特徴とする請求項７に記載のギアユニット。
【請求項９】
前記外部接続端子の先端側を収容するコネクタハウジングが、前記カバー部材に収容されて設けられており、
前記カバー部材は、前記コネクタハウジングと係合する係合部を備えている
ことを特徴とする請求項８に記載のギアユニット。
【請求項１０】
前記基部は、外部構造物との取付部を備えており、
前記取付部は、前記軸方向において前記外部接続端子が位置する側と反対側に設けられている
ことを特徴とする請求項７から請求項９の何れか一項に記載のギアユニット。
【発明の詳細な説明】
【技術分野】
【０００１】
本発明は、Ａ相のコイルとＢ相のコイルとがロータの軸方向に並べて配置されたクローポール型ステッピングモータを備えたギアユニットに関する。
【背景技術】
【０００２】
従来のクローポール型ステッピングモータを備えたバルブ駆動装置（ギアユニット）では、コイルに接続されたコイル端子がボビンに取り付けられており、そのままコネクタ端子として用いられている（特許文献１参照）
【先行技術文献】
【特許文献】
【０００３】
【特許文献１】特開２００１−２７１９５６号公報
【発明の概要】
【発明が解決しようとする課題】
【０００４】
特許文献１の場合、Ａ相用のコイル端子とＢ相用のコイル端子とがそのままコネクタ端子として用いられると共に、コネクタ端子がボビンに直接取り付けられているため、相手側コネクタ端子の脱着によるコイル巻線部分への負荷が大きかった。
【０００５】
そこで、コイル巻線部分への負荷を低減することが求められている。
【課題を解決するための手段】
【０００６】
本発明は、Ａ相のコイルとＢ相のコイルとが、ロータの軸方向に並べて配置されたクローポール型のステッピングモータを備えたギアユニットであって、
Ａ相のコイルとＢ相のコイルの各々は、外周にコイルが巻回されると共に、軸方向の両端に径方向に延びる鍔部を有するボビンと、コイルから引き出された巻き線の端部が絡げられる複数の端子と、複数の端子が圧入されて保持される端子保持部と、を備え、
Ａ相のコイルとＢ相のコイルうちの一方のコイルでは、当該一方のコイルが備える前記ボビンの鍔部のうち、軸方向で隣接する他方のコイル側の鍔部に、端子保持部が設けられており、他方のコイルでは、当該他方のコイルが備えるボビンの鍔部のうち、一方のコイル側の鍔部とは反対側の鍔部に、端子保持部が設けられており、複数の端子の各々は、径方向における端子保持部の外側に配置された共通の基板を介して、それぞれ対応する外部接続端子に接続されており、外部接続端子は、径方向から見て一方のコイルと重なる位置に設けられており、基板は、当該基板の周縁に当接して、基板の軸方向および周方向の位置決めをする枠部と、基板の端子保持部側の面の端子との干渉を避けた位置に当接して、基板の径方向の位置決めをする当接部と、を有する保持部材により支持されており、保持部材は、端子保持部側の面の一部を、径方向から端子保持部材に接触させて設けられている構成とした。
【発明の効果】
【０００７】
本発明によれば、Ａ相のコイルとＢ相のコイルの複数の端子の各々を、共通の基板を介して、それぞれ対応する外部接続端子に接続したので、相手側コネクタ端子の着脱によるコイル巻線部分への負荷を低減できる。
【図面の簡単な説明】
【０００８】
【図１】実施形態にかかるバルブ駆動装置の断面図である。
【図２】図１におけるＸ１−Ｘ１断面図である。
【図３】バルブ駆動装置の要部を分解して示す斜視図である。
【図４】バルブ駆動装置におけるステータアッセンブリを説明する図である。
【図５】バルブ駆動装置のコイル端子と外部接続端子の配置を説明する図である。
【図６】コネクタ保持部材へのコネクタハウジングの取付けを説明する斜視図である。
【図７】コネクタ保持部材の分解斜視図である。
【図８】バルブ駆動装置の上カバー部材の斜視図である。
【図９】バルブ駆動装置のモータ側を分解して示す斜視図である。
【図１０】バルブ駆動装置における弁部を分解して示す斜視図である。
【図１１】バルブ駆動装置１の動作を説明する図である。
【発明を実施するための形態】
【０００９】
以下、本発明の実施形態について、本発明のバルブ駆動装置（ギアユニット）を冷蔵庫の冷媒の流路を開閉する弁装置に適用した場合を例に挙げて、適宜図面を参照しながら詳細に説明する。
なお、各図において、共通する部分には同一の符号を付し重複した説明を省略する。
以下の説明では、図１に示したバルブ駆動装置１における上方と下方を基準として、バルブ駆動装置の各構成要素の位置関係を適宜説明する。
【００１０】
図１は、実施形態にかかるバルブ駆動装置１の断面図である。図２は、図１におけるＸ１−Ｘ１断面図である。図３は、バルブ駆動装置１のモータＭ側の分解斜視図である。
【００１１】
図１および図２に示すように、本発明の実施形態にかかるバルブ駆動装置１は、外部装置である冷蔵庫（図示せず）との間に流体（ここでは、冷媒）が循環可能な流路を構成し、冷蔵庫から流体導入管２を介して流体室Ｓ内へ導入された流体を、流体導出管３、４を介して冷蔵庫へ導出する弁装置である。
このバルブ駆動装置１では、モータＭにより弁部７０を駆動して、流体室Ｓ内に導入された流体を、流体導出管３、４から冷蔵庫側に導出するようになっており、このバルブ駆動装置１のモータＭとして、一対のステータ組５０Ａ、５０Ｂ（Ａ相のコイルとＢ相のコイル）がロータ３０の軸方向に並べて配置されたクローポール型ステッピングモータが採用されている。
【００１２】
バルブ駆動装置１では、底板部１０の上面に固定した有底円筒形状の隔壁２０により、底板部１０と隔壁２０の間に流体室Ｓが形成されている。
バルブ駆動装置１において隔壁２０は、底部２０ａを底板部１０とは反対側の上方に向けて設けられている。隔壁２０は、底部２０ａから離れる方向で２段に拡径した外形を有しており、底部２０ａ側の小径部２０１と、底板部１０側の大径部２０２と、を備えて構成される。
底板部１０の外周縁には、大径部２０２の先端２０２ａが外嵌する段部１１が、全周に亘って設けられており、隔壁２０は、大径部２０２の先端２０２ａを段部１１に嵌合させて、底板部１０に固定されている。
【００１３】
小径部２０１の内側には、モータＭのロータ３０が、軸部材２１に外挿された状態で設けられている。
バルブ駆動装置１において軸部材２１は、軸線Ｘに沿って設けられており、この軸部材２１の一端２１ａは、底部２０ａの凹部２０ｂで支持されており、他端２１ｂは、底板部１０の孔部１０ａでロウ付けされており、軸部材２１は、回り止めされた状態で設けられている。
軸部材２１においてロータ３０は、回転可能に支持されており、モータＭの駆動時に、軸線Ｘ周りに回転するようになっている。
【００１４】
ロータ３０は、軸部材２１に外挿される軸受部３１ａを有する基部３１と、軸線Ｘ周りの周方向でＮ相とＳ相とが交互に配置された磁石３２と、を備えて構成される。
磁石３２は、ロータ３０を樹脂成形する際に、インサート成型によりロータ３０と一体に形成されており、基部３１において磁石３２は、軸線Ｘ周りの周方向で全周に亘って設けられている。
【００１５】
基部３１の底板部１０側の下部には、ロータ３０の回転を後記する弁部７０に伝達する伝達軸３３が、軸受部３１ａと基部３１の間に挿入されて固定されている。伝達軸３３は、ロータ３０と同様に、軸部材２１に回転可能に支持されており、ロータ３０と一体に軸線Ｘ周りに回転するようになっている。
【００１６】
伝達軸３３は、軸線Ｘに沿って底板部１０側の下方に延びており、その先端部３３ａを、底板部１０の上面１０ｂに当接させている。
実施の形態においてロータ３０は、軸部材２１の一端２１ａ側に外挿したスプリングＳｐにより、底板部１０側の下方に付勢されており、このスプリングＳｐの付勢力により、伝達軸３３の先端部３３ａが、底板部１０の上面１０ｂに常時当接させられて、ロータ３０の軸線Ｘの軸方向の位置決めがされている。
【００１７】
伝達軸３３における先端部３３ａの上側は、当該先端部３３ａよりも径が大きい大径部３３ｂとなっており、この大径部３３ｂの外周には、後記するギヤ７１の外周に設けた歯部７１ｇに噛合する歯部３３ｃが設けられている（図２参照）。
【００１８】
図１に示すように、ロータ３０を収容する隔壁２０の小径部２０１は、ロータ３０の磁石３２を所定間隔で囲む筒状に形成されており、この小径部２０１の外周には、ステータアッセンブリ４０が外挿されて取り付けられている。
実施の形態では、小径部２０１と大径部２０２を接続する円板部２０３が、軸線Ｘに直交して設けられており、この円板部２０３により、小径部２０１に外挿したステータアッセンブリ４０の位置決めがされて、ロータ３０（磁石３２）の径方向外側に、２つのステータ組５０Ａ、５０Ｂが配置されるようになっている。
なお、ロータ３０の磁石３２は、隔壁２０を介して後述のステータアッセンブリ４０からの磁力によって駆動されるため、隔壁２０は非磁性体で構成される。また流体室Ｓの圧力に耐えられるよう、隔壁２０は金属で構成される。このため、隔壁２０は非磁性金属であるステンレスで構成される。
【００１９】
図２に示すように、ステータアッセンブリ４０は、軸線Ｘの軸方向に重ねて配置された２つのステータ組５０Ａ、５０Ｂを備えており、このステータアッセンブリ４０には、ステータ組５０Ａ、５０Ｂの外周を囲む外ステータコア５９が外挿して取り付けられている。
外ステータコア５９は、後記する内ステータコア５１、５２と同様に、磁性体の板体をプレス加工することで形成されており、ステータ組５０Ａ、５０Ｂに外挿して取り付けた際に、外ステータコア５９と内ステータコア５１、５２とが互いに接触した状態で設けられて、外ステータコア５９と内ステータコア５１、５２とで磁路が構成されるようになっている。
【００２０】
ステータ組５０Ａ、５０Ｂの各々は、軸方向に間隔をあけて配置された一対の内ステータコア５１、５２の間に、ボビン５３の外周に巻き付けられたコイル５４が配置された基本構成を有している。
ステータアッセンブリ４０においてボビン５３は、その内部にステータ組５０Ａ、５０Ｂの内ステータコア５１、５２がインサート成形により埋め込まれた樹脂成形体（絶縁体）であり、後記する端子保持部５５と一体に形成されている。
【００２１】
図４は、ステータアッセンブリ４０の斜視図であり、（ａ）は、ステータアッセンブリ４０において樹脂で形成された部分をハッチングして示した図であり、（ｂ）は、樹脂部分を除いた構成要素の分解斜視図であり、ステータ組５０Ａ、５０Ｂの各内ステータコア５１、５２と、コイル５４を軸方向に並べた図である。
図５の（ａ）は、バルブ駆動装置１から上カバー部材９０を取り外した状態を、基板６０側から見た側面図であり、（ｂ）は、（ａ）におけるＡ−Ａ断面の要部を拡大して示す図であり、（ｃ）は、外部接続端子６１を説明する図である。
図６および図７は、コネクタハウジング６２を保持するコネクタ保持部材１００を説明する分解斜視図である。
図８は、上カバー部材９０を、下カバー部材８０側の下方から見た斜視図である。
【００２２】
図４に示すように、内ステータコア５１、５２は、軸線Ｘに直交する向きで配置されたリング状のフランジ部５１０、５２０と、フランジ部５１０、５２０の内周から軸線Ｘ方向に起立形成された複数の極歯５１１、５２１とを備えており、フランジ部５１０、５２０の内径側において極歯５１１、５２１は、軸線Ｘ周りの周方向に等間隔で設けられている。
ステータ組５０Ａ、５０Ｂの一対の内ステータコア５１、５２は、一方の内ステータコア５１の極歯５１１と、他方の内ステータコア５２の極歯５２１とが、軸線Ｘ周りの周方向で交互に並んで配置されるように、互いの極歯５１１、５２１を対向させる向きで配置されている。
【００２３】
図５の（ｂ）に示すように、極歯５１１、５２１の径方向外側には、外周にコイルが巻き付けられたボビン５３の円筒状の基部５３０が位置しており、軸線Ｘの軸方向におけるこの基部５３０の両端には、径方向外側に延びる鍔部５３１、５３２が、軸線Ｘ周りの周方向で全周に亘って設けられている。
【００２４】
ステータアッセンブリ４０において、ステータ組５０Ａの内ステータコア５１と、ステータ組５０Ｂの内ステータコア５２は、軸線Ｘの軸方向で、フランジ部５１０、５２０同士を接触させた状態で設けられている。
【００２５】
図４に示すように、各ステータコアのフランジ部５１０、５２０には、軸線Ｘ方向に貫通する貫通穴５１０ａ、５２０ａが、軸線Ｘ周りの周方向で複数設けられている。
実施の形態では、軸線Ｘの軸方向で互いに接して設けられた内ステータコア５１、５２の貫通穴５１０ａ、５２０ａは、軸方向から見て重なる位置に設けられており、インサート成形の際に樹脂が貫通穴に充填されて、重ねられた内ステータコア５１、５２のフランジ部５１０、５２０が隙間なく接合された状態で、樹脂内に保持されるようにされている。
【００２６】
内ステータコア５１、５２が埋め込まれたステータアッセンブリ４０では、ボビン５３の基部５３０の内径側に極歯５１１、５２１が露出しており、フランジ部５１０、５２１のコイル５４側の面が、鍔部５３１、５３２を構成する樹脂で覆われている。
ここで、ボビン５３の基部５３０の内径側に極歯５１１、５２１が露出しているのは、インサート成形により、内部に内ステータコア５１、５２が埋め込まれたボビン５３を形成する際に、極歯５１１、５２１の内径側を、金型との位置決め部として用いているためである。
【００２７】
そして、ステータアッセンブリ４０では、ステータ組５０Ｂのフランジ部５１０の内径側の上面を覆う樹脂材料により、リング状の取付部５７（図２〜図４参照）が形成されており、この取付部５７には、後記する上カバー部材９０の嵌合壁９１ｃが内嵌して取り付けられるようになっている（図１参照）
また、ステータ組５０Ａのフランジ部５２０の内径側の下面を覆う樹脂材料により、リング状の当接部５８（図２参照）が形成されている、この当接部５８は、ステータアッセンブリ４０が隔壁２０の小径部２０１外挿された際に、小径部２０１と大径部２０２との境界の円板部２０３に軸線Ｘ方向から当接するようになっており、ステータアッセンブリ４０の軸方向の位置決めが、円板部２０３に当接させた当接部５８により行われるようになっている。
【００２８】
図４に示すように、各ステータコアのフランジ部５１０、５２０では、その外周部の一部に軸線Ｘ側に窪んだ切欠き部５１０ｂ、５２０ｂが形成されており、各フランジ部５１０、５２０の切欠き部５１０ｂ、５２０ｂは、軸線Ｘの軸方向から見て重なる位置に設けられている。実施の形態では、この切欠き部５１０ｂ、５２０ｂの部分を利用して、端子保持部５５が設けられている。
【００２９】
図５の（ｂ）に示すように、ステータ組５０Ｂの端子保持部５５Ｂは、フランジ部５１０、５２０の切欠き部５１０ｂ、５２０ｂに跨って設けられている。
この端子保持部５５Ｂは、フランジ部５１０、５２０の両側に位置するボビン５３の鍔部５３２、５３１と一体に形成されており、軸線Ｘの軸方向に所定の厚みＷａを有している。
【００３０】
ステータ組５０Ａの端子保持部５５Ａは、内ステータコア５２のフランジ部５２０の切欠き部５２０ｂに設けられている。
この端子保持部５５Ａは、ステータ組５０Ａのボビン５３の鍔部５３２と一体に形成されており、軸線Ｘの軸方向に所定の厚みＷｂを有している。
【００３１】
ステータ組５０Ａの端子保持部５５Ａと、ステータ組５０Ｂの端子保持部５５Ｂは、軸線Ｘ方向に間隔をあけて設けられている。
ステータ組５０Ａ、５０Ｂの端子保持部５５Ａ、５５Ｂには、複数のコイル端子５６が圧入されて支持されており、複数のコイル端子５６は、ステータアッセンブリ４０から径方向外側に突出して設けられていると共に、コイル端子５６の基端は、切欠き部５１０ｂ、５２０ｂ内に位置している。
【００３２】
そのため、ステータアッセンブリ４０に外挿して取り付けられる外ステータコア５９では、ステータ組５０Ａ、５０Ｂの外周を囲む周壁部５９２に、コイル端子５６との干渉を避けるための切欠き５９３が設けられている。（図３参照）。
ここで、実施の形態では、ステータ組５０Ａのコイル端子５６（５６ａ〜５６ｃ）と、ステータ組５０Ｂのコイル端子５６（５６ａ〜５６ｃ）とが、軸線Ｘの軸方向で近接して配置されているので、外ステータコア５９における切欠き５９３を形成する範囲、具体的には、軸線Ｘの軸方向における切欠きの大きさを、小さくできるようになっている。
そのため、切欠き５９３の上辺５９３ａ（図５の（ｂ）参照）が、外部接続端子６１が径方向外側に位置するほうのステータ組５０Ｂ（コイル５４）と、径方向から見て重なる位置に配置されている。
【００３３】
なお、外ステータコア５９は、図３に示すように、有底円筒形状を有しており、底部５９１の中央部に、隔壁２０の底部２０ａ側を挿通可能とする開口５９１ａが設けられている。そして、底部５９１の全周に亘って設けられた周壁部５９２は、ステータ組５０Ａ、５０Ｂのフランジ部５１０、５２０を全周に亘って取り囲む円筒形状を成している。
【００３４】
図５に示すように、コイル端子５６は、直線状に延びる棒形状を呈する導電性のピンであり、軸線Ｘ周りの周方向に等間隔Ｗ１をあけて設けられている。
【００３５】
実施の形態のステータアッセンブリ４０では、内ステータコア５１、５２のフランジ部５１０、５２０の切欠き５１０ｂ、５２０ｂに端子保持部５５Ａ、５５Ｂを設けたので、切欠きを設けない場合に比べて、端子保持部５５Ａ、５５Ｂが径方向外側に突出することを好適に防止しており、モータＭの径方向の大型化が防止されるようになっている。
【００３６】
また、ステータ組５０Ａでは端子保持部５５Ａがフランジ部５２０の厚みを、ステータ組５０Ｂでは端子保持部５５Ｂがフランジ部５１０、５２０の厚みを、それぞれ利用して設けられているので、端子保持部５５Ａ、５５Ｂの厚みＷｂ、Ｗａを厚くすることができるようになっている。これにより、端子保持部５５Ａ、５５Ｂにおけるコイル端子５６の支持強度が高められている。
【００３７】
ステータ組５０Ａの端子保持部５５Ａでは、圧入支持された複数のコイル端子５６が、ステータ組５０Ａの内ステータコア５２のフランジ部５２０厚みの範囲内に位置している。ステータ組５０Ｂの端子保持部５５Ｂでは、圧入支持された複数のコイル端子５６が、軸方向で重ねられたステータコアのフランジ部５１０、５２０の重ね合わせ部分の厚みの範囲内に位置している。
【００３８】
実施の形態では、端子保持部５５Ａで保持されたコイル端子５６には、ステータ組５０Ａのコイル５４（Ａ相のコイル）から引き出された巻き線の端部（図示せず）が絡げられ、端子保持部５５Ｂで保持されたコイル端子５６には、ステータ組５０Ｂのコイル５４（Ｂ相のコイル）から引き出された巻き線の端部（図示せず）が絡げられている。
ここで、コイル５４は、コイル端子５６ｂからコイル端子５６ａに巻かれるコイルと、コイル端子５６ｂからコイル端子５６ｃに巻かれるコイルとを備え、この２つのコイルが巻かれる方向は、コイル端子５６ｂからコイル端子５６ａ側と、コイル端子５６ｂからコイル端子５６ｃ側で逆方向になっている。
そして、これら端子保持部５５Ａ、５５Ｂで支持されたコイル端子５６の各々は、共通のリジッド基板６０（以下、基板６０と表記する）を介して、それぞれ対応する外部接続端子６１（６１ａ〜６１ｅ）に接続されている。なお、コイル端子５６の各々は、基板６０におけるコイル５４とは反対側の面６０１ａで、基板６０に設けられた配線６０ａ〜６０ｅのうちの対応する配線に、半田付けにより固定されている。
【００３９】
基板６０には、合計５つの外部接続端子６１（６１ａ〜６１ｅ）が接続されており、ステータ組５０Ａ、５０Ｂのコイル端子５６（５６ａ〜５６ｃ）は、基板６０に設けられた配線６０ａから６０ｅを介して、それぞれ対応する外部接続端子６１（６１ａ〜６１ｅ）に接続されている。
すなわち、ステータ組５０Ａのｍ本のコイル端子５６と、ステータ組５０Ｂのｎ本のコイル端子５６とに対して、ｍ＋ｎ−１本の外部接続端子６１が設けられている。
基板６０において、隣接する外部接続端子６１間の間隔Ｗ２は、隣接するコイル端子５６間の間隔Ｗ１よりも小さく設定されている（Ｗ１＞Ｗ２）。
【００４０】
なお、外部接続端子６１の各々は、基板６０におけるコイル５４とは反対側の面６０１ａで、配線６０ａ〜６０ｅのうちの対応する配線に、半田付けにより固定されている。
このように、実施の形態では、基板６０における一方の面６０１ａ（同一の面）に、コイル端子５６と外部接続端子６１の各々が、半田付けにより固定されている。
ここで、図５の（ａ）に示すように、基板６０とコネクタハウジング６２とが、基板６０における一方の面６０１ａ側（図５（ａ）の紙面手前側）から見て重ならない位置関係で設けられている（基板６０とコネクタハウジング６２とが軸線Ｘの軸方向でオフセットしている）。これにより、外部接続端子６１を、配線６０ａ〜６０ｅのうちの対応する配線に半田付けする際に、コネクタハウジング６２が基板６０から突出した外部接続端子６１を覆うことがない。このため、コネクタハウジング６２が半田付け作業の邪魔にならないので、半田付けの作業効率と確実性が向上することになる。
【００４１】
また、図５の（ｂ）に示すように、基板６０とコネクタハウジング６２とが、軸線Ｘの軸方向から見て重ならない位置関係で設けられている（基板６０とコネクタハウジング６２とが軸線Ｘの径方向でオフセットしている）。これにより、外部接続端子６１と配線６０ａ〜６０ｅのうちの対応する配線に半田付けする半田付け部と、コネクタハウジング６２を離して配置することができる。ことため、半田付け作業の熱で樹脂製のコネクタハウジング６２を変形させる虞が低減される。
【００４２】
なお、図５の（ｂ）とは異なり、コネクタハウジング６２を、基板６０寄りの径方向内側に配置して、コネクタハウジング６２と基板６０とを径方向で重ねて配置しても良く、かかる場合、コネクタハウジング６２が基板カバー１２０から径方向に突出する量が少なくなり、バルブ駆動装置１のモータＭ側の外径を小さくすることができるので、バルブ駆動装置１のモータＭ側を径方向に小型化できることになる。
【００４３】
ステータ組５０Ａのコイル端子５６ａは、図５の（ａ）において左から１番目の配線６０ａを介して、左から１番目の外部接続端子６１ａと電気的に接続されており、左から２番目のコイル端子５６ｂは、左から３番目の配線６０ｃを介して、左から３番目の外部接続端子６１ｃと電気的に接続されており、左から３番目のコイル端子５６ｃは、左から４番目の配線６０ｄを介して、左から４番目の外部接続端子６１ｄと電気的に接続されている。
また、ステータ組５０Ｂのコイル端子５６ａは、図５の（ａ）において左から２番目の配線６０ｂを介して、左から２番目の外部接続端子６１ｂと電気的に接続されており、左から２番目のコイル端子５６ｂは、左から３番目の配線６０ｃを介して、左から３番目の外部接続端子６１ｃと電気的に接続されており、左から３番目のコイル端子５６ｃは、左から５番目の配線６０ｅを介して、左から５番目の外部接続端子６１ｅと電気的に接続されている。
【００４４】
ここで、実施の形態の基板６０では、基板６０に設けられた配線６０ａ〜６０ｅのうち、ステータ組５０Ａのコイル端子５６ａ、５６ｃと、外部接続端子６１ａ、６１ｄと、を接続する配線６０ａ、６０ｄは、ステータ組５０Ａのコイル端子５６ａ、５６ｃを迂回するように湾曲して設けられている。そのため、ステータ組５０Ａのコイル端子５６（５６ａ〜５６ｃ）と、ステータ組５０Ｂのコイル端子５６（５６ａ〜５６ｃ）とを、周方向にずらして設けることなく、それぞれ対応する外部接続端子６１に接続できるようになっている。
よって、実施の形態では、基板６０の幅Ｗ３を広げることなく、コイル端子５６の間隔Ｗ１を広く取ることができるようになっている。
これにより、基板６０の幅Ｗ３は、外部接続端子６１を周方向に並べて配置するのに必要な最小の幅を備えていれば良いので、基板６０の大型化を防止できることになる。
【００４５】
図５の（ｃ）に示すように、外部接続端子６１（６１ａ〜６１ｅ）は、側面視コ字形状を呈する導電性のピンであり、基板６０の孔部に挿通される第１の部位６１−１と、第１の部位６１−１のステータ組５０Ｂ側の端部から折り曲げられて上方へ延設される第２の部位６１−２と、第２の部位６１−２の上端部から折り曲げられてステータ組５０Ｂから離間する方向へ延設される第３の部位６１−３と、を備える。
つまり、第２の部位６１−２は、軸線Ｘの軸方向に沿って延びており、第１の部位６１−１は、第２の部位６１−２の軸方向の一端から径方向外側に延びており、第３の部位６１−３は、第２の部位６１−２の軸方向の他端から径方向外側に延びている。このため、外部接続端子６１は、径方向から見た基板６０の幅Ｗ３の範囲内に位置しており、軸線Ｘ周りの周方向で基板６０の幅Ｗ３よりも周方向外側に飛び出さないように設けられている。
各外部接続端子６１（６１ａ〜５４ｅ）の第１の部位６１−１は、ステータ組５０Ｂのフランジ部５１０よりも低い位置（ステータ組５０Ａ側の位置）に設けられている。
【００４６】
外部接続端子６１ａ〜５４ｅの第３の部位６１−３には、コネクタハウジング６２が設けられており、このコネクタハウジング６２には、相手側コネクタ端子（図示せず）が脱着可能とされている。
軸線Ｘの径方向外側から見てコネクタハウジング６２では、幅方向の両側に、幅方向外側に突出して係合突部６２ａが設けられている。この係合突部６２ａは、コネクタハウジング６２の高さ方向の全長に亘って形成されており、コネクタ保持部材１００の凹溝１０２ａ（図６参照）との係合部となっている。
【００４７】
図６および図７に示すように、コネクタ保持部材１００は、外ステータコア５９の外周に取り付けられる基部１０１と、基部１０１の外ステータコア５９とは反対側の面を覆う基板カバー１２０と、を備えて構成される。
基部１０１の幅方向における両側には、上カバー部材９０（図１参照）側の上方に延びる一対の壁部１０２、１０２が設けられている。
これら壁部１０２、１０２の各々では、上面視において略コ字形状を有する凹溝１０２ａ、１０２ａが、外ステータコア５９とは反対側の一側の互いに対向する面に設けられている。
壁部１０２、１０２において凹溝１０２ａ、１０２ａは、高さ方向の全長亘って設けられており、コネクタハウジング６２の係合突部６２ａが図中上方向から係合するようになっている。
【００４８】
基部１０１における凹溝１０２ａ、１０２ａの間の上端面１０１ａは、コネクタ保持部材１００に取り付けたコネクタハウジング６２の載置面となっており、コネクタハウジング６２は、基部１０１の上端面１０１ａにより、軸線Ｘ（図１参照）の軸方向における位置決めがされている。
【００４９】
基部１０１における凹溝１０２ａの近傍には、外部接続端子６１を挿通させるための開口１０１ｂが設けられており、外部接続端子６１の第１の部位６１−１および第１の部位６１−２（図５の（ｃ）参照）が、コネクタハウジング６２をコネクタ保持部材１００に取り付ける際に、この開口１０１ｂ内に図中上側から挿入されるようになっている。
【００５０】
図７に示すように、基部１０１における基板カバー１２０側の面には、開口１０１ｂを挿通させた基板６０の周縁に当接する枠部１０３と、基板６０の裏面６０１ｂ（図６参照）に当接する当接部１０４、１０５が設けられている。
コネクタ保持部材１００において基板６０は、枠部１０３により軸線Ｘ（図１参照）の軸方向および周方向の位置決めがされ、当接部１０４、１０５により軸線Ｘの径方向の位置決めがされている。
【００５１】
当接部１０４は、基部１０１の幅方向における両側で、枠部１０３の内側に接して設けられており、これら当接部１０４、１０４の間に、ステータ組５０Ａのコイル端子５６を挿通させる開口１０６が設けられている。
【００５２】
当接部１０５は、当接部１０４の上側に所定距離離間した位置に設けられており、当接部１０４と当接部１０５の間に、ステータ組５０Ｂのコイル端子５６を挿通させる開口１０７が設けられている。
当接部１０５には、基板６０に接続された外部接続端子６１との干渉を避けるための切欠き１０５ａが設けられており、コネクタハウジング６２をコネクタ保持部材１００に取り付ける際に、コネクタハウジング６２と基板６０とを接続する外部接続端子６１が、当接部１０５に干渉しないようにされている。
さらに、外部接続端子６１の各々が、切欠き１０５ａ内に収容されることで、隣接する外部接続端子６１同士が、互いに接触しないようにされている。
【００５３】
図６に示すように、基部１０１におけるこれら当接部１０４、１０５の反対側には、外ステータコア５９側に突出する係合爪１０８ａ、１０８ｂが設けられている。これら係合爪１０８ａ、１０８ｂは、コネクタ保持部材１００を外ステータコア５９に取り付ける際に、外ステータコア５９の切欠き５９３の上辺５９３ａと側辺５９３ｂ（図３参照）にそれぞれ係止されて、コネクタ保持部材１００の外ステータコア５９からの脱落が、これら係合爪１０８ａ、１０８ｂにより防止されるようになっている。
【００５４】
ここで、係合爪１０８ａ、１０８ｂを外ステータコア５９の切欠き５９３に係止させて、コネクタ保持部材１００を外ステータコア５９に取り付けると、基部１０１の外ステータコア側の面１０１ｃ、１０１ｃが、軸線Ｘの径方向からそれぞれ端子保持部５５Ａ、５５Ｂに当接するようになっている（図５の（ｂ）参照）。
実施の形態では、外ステータコア５９にコネクタ保持部材１００を取り付けると、コネクタ保持部材１００が、外ステータコア５９の周壁部５９２（図３参照）のみならず、端子保持部５５Ａ、５５Ｂにも接触した状態となるので、コネクタ保持部材１００の取付安定性が向上するようになっている。
【００５５】
なお、図６に示すように、基板６０は、コネクタ保持部材１００の外周方向（軸線Ｘの径方向）から枠部１０３に嵌め込まれるようになっている。そのため、基板６０は、外部接続端子６１とコイル端子５６を、それぞれ開口１０１ｂと開口１０６、１０７を通過させたのちに、外部接続端子６１とコイル端子５６が、それぞれ基板６０の対応する貫通穴に挿入されるようにして、枠部１０３に取り付けられることになる。
このようにすることで、基板６０の裏面６０１ｂを、コネクタ保持部材１００の当接部１０４、１０５（図７参照）に確実に接触させた状態で、外部接続端子６１とコイル端子５６を、基板６０に半田付けすることができるので、コネクタ保持部材１００における基板６０の設置安定性が向上することになる。
【００５６】
図７に示すように、基部１０１の幅方向における両側には、基板カバー１２０のガイド部１２４が嵌合するガイド溝１０９が設けられており、このガイド溝１０９は、コネクタ保持部材１００の高さ方向に沿って設けられている。
このガイド溝１０９における上側には、基部１０１の幅方向における外側に突出して突出部１１０が設けられている。突出部１１０は、基板カバー１２０をコネクタ保持部材１００に取り付けた際に、ガイド部１２４に設けた切欠き１２４ａ（図６参照）に係合するようになっており、基板カバー１２０のコネクタ保持部材１００からの脱落が、切欠き１２４ａに係合した突出部１１０により阻止されるようになっている。
【００５７】
図７に示すように、基板カバー１２０は、コネクタ保持部材１００の枠部１０３に、図中下方向から外挿して取り付けられて、コネクタ保持部材１００で保持された基板６０（図示せず）の前面を覆うものである。
図６に示すように、基板カバー１２０は、平面視において矩形形状を有するカバー部１２１と、カバー部１２１の幅方向における両側に設けられた側壁部１２２と、カバー部１２１の下辺に沿って設けられて、側壁部１２２、１２２の下端同士を接続する下壁部１２３と、側壁部１２２、１２２の端部から基板カバー１２０の幅方向における内側に延びるガイド部１２４と、外側に延びる係合部１２５とを有している。
【００５８】
ガイド部１２４は、側壁部１２２、１２２のカバー部１２１とは反対側の端部から、基板カバー１２０の幅方向における内側に延びており、基板カバー１２０の高さ方向（側壁部１２２の長手方向）の全長に亘って設けられている。
ガイド部１２４は、前記したガイド溝１０９と略整合する幅Ｗ４で板状に形成されており、基板カバー１２０をコネクタ保持部材１００に取り付ける際にガイド溝１０９に挿入されて、ガイド部１２４が、ガイド溝１０９に沿って移動するようになっている。
【００５９】
係合部１２５は、側壁部１２２、１２２のカバー部１２１とは反対側の端部から、基板カバー１２０の幅方向における外側に延びたのち、カバー部１２１から離れる方向に屈曲しており、上面視においてＬ字形状を成している。
係合部１２５は、基板カバー１２０がコネクタ保持部材１００に組み付けられた際に、コネクタ保持部材１００の両側に突出するようになっており、後記する上カバー部材９０の凹溝９３ｃ（図８参照）に係合させるために設けられている。
【００６０】
次に、モータＭにより駆動される弁部７０を説明する。
図９は、バルブ駆動装置１における下カバー部材８０、弁部７０、台部材８６およびモータＭの部分の分解斜視図である。図１０は、弁部７０のギヤ７１および弁体７２を示す分解斜視図である。
【００６１】
バルブ駆動装置１の弁部７０は、モータＭにより軸線Ｘ２（図９参照）周りに回転駆動される部材であって、ギヤ７１と、弁体７２と、を備える。
ギヤ７１は、モータＭの伝達軸３３の外周に設けられた歯部３３ｃと歯合する外歯車である。図１０に示すように、ギヤ７１の中心には、円形の孔部７１ａが形成されていると共に、ギヤ７１の底面には、中心突起７１ｂと、当該中心突起７１ｂの周囲に配置された複数（本実施形態では３つ）の突起７１ｃと、が形成されている。
【００６２】
弁体７２は、略円板形状を呈する部材であり、弁体７２の中心には、円形の孔部７２ａが形成されていると共に、弁体７２の上面には、孔部７２ａの周囲に配置された１つの孔部７２ｂおよび２つの凹部７２ｃが形成されている。
また、弁体７２の底面には、切欠７２ｄが形成されている。弁体７２の底面のうち、切欠７２ｄが形成されていない部位は、流体導出管３、４の開口３ａ、４ａ（図９参照）を閉塞可能に構成されている。
【００６３】
ギヤ７１および弁体７２は、ギヤ７１の中心突起７１ｂおよび３つの突起７１ｃが弁体７２の孔部７２ａ、１つの孔部７２ｂおよび２つの凹部７２ｃのそれぞれに挿入されることによって、互いに固定されている。
ギヤ７１と弁体７２は、孔部７１ａと孔部７２ａを挿通させた軸部材７３（図９参照）で回転可能に支持されており、図１に示すように、軸部材７３の上端７３ａと下端７３ｂは、台部材８６の支持孔８９ａと、底板部１０に固定された接続部材１５の穴部１５ａで、それぞれ回り止めされた状態で保持されている。
【００６４】
接続部材１５は、底板部１０に設けられた貫通穴１０ｃに、モータＭとは反対側の下方から嵌入して設けられている。
接続部材１５の中央部には、軸部材７３を支持するための穴部１５ａが、流体室Ｓ側に開口して形成されており、接続部材１５において、この穴部１５ａの径方向外側の位置には、流体導出管３の開口３ａと、流体導出管４の開口４ａが位置している（図９参照）。
流体導出管３、４は、それぞれ接続部材１５を軸線Ｘ方向に貫通して設けられており、底板部１０の上方に形成される流体室Ｓに連通している。
【００６５】
底板部１０では、中央の孔部１０ａを挟んで貫通穴１０ｃとは反対側の位置に、貫通穴１０ｄが設けられており、この貫通穴１０ｄには、流体導入管２が嵌入されている。この状態で、流体導入管２の開口２ａは流体室Ｓ内に開口しており、流体導入管２を流体室Ｓに連通させている。
【００６６】
図９に示すように、底板部１０の上面１０ｂ（図１参照）には、台部材８６が載置されており、この台部材８６は、台部８７と、台部８７の周縁部から下方側に延びる複数の脚部８８（８８ａ、８８ｂ）と、を備えて構成される。
台部８７では、前記した伝達軸３３を挿通させる穴部８７ａがその中央部に形成されており、この穴部８７ａの径方向外側には、支持孔８９ａを備える腕部８９が、軸線Ｘまわりの周方向に沿って設けられている。
【００６７】
実施の形態では、底板部１０に隔壁２０を固定した際に、隔壁２０の円板部２０３が台部８７に当接して、脚部８８ａを底板部１０に当接させる位置まで、底板部１０側の下方に押し込むようになっている。
この際、脚部８８ｂは脚部８８ａよりも径方向外側に突出して設けられているので、台部材８６は、脚部８８ｂを隔壁２０の大径部２０２の内周に押し当てた状態で、隔壁２０内で保持されるようになっている。
【００６８】
また、弁部７０の軸部材７３を支持する腕部８９は、台部８７とは独立に軸方向に変形可能となっており、台部材８６が底板部１０側の下方に押し込まれた際に、弁体７２を底板部１０側の下方に付勢するようになっている。そのため、弁部７０の弁体７２は、腕部８９により底板部１０の上面に常時当接させられて、軸方向の位置決めがされている。
【００６９】
図２に示すように、底板部１０の上面に固定された隔壁２０の大径部２０２には、下カバー部材８０が外挿して固定されている。
下カバー部材８０は、板状の基部８１の中央に、隔壁２０の大径部２０２が挿入される開口８１ａが設けられており、開口８１ａの内周縁には、軸線Ｘ方向の上側に向けて起立形成された当接片８１ｂが、軸線Ｘ周りの周方向で複数設けられている。
当接片８１ｂの各々は、開口８１ａから軸線Ｘ側に膨出して設けられており、軸線Ｘの径方向外側に弾性変形可能とされている。
そのため、下カバー部材８０を隔壁２０の大径部２０２に外挿して取り付ける際に、大径部２０２が当接片８１ｂを径方向外側に押し広げながら、基部８１の開口８１ａ内に挿入されて、下カバー部材８０が隔壁２０に固定されるようになっている。
【００７０】
図９に示すように、基部８１の幅方向における一側には、軸線Ｘ方向の下側に向けて折り曲げて形成された取付部８５が設けられている。取付部８５は、バルブ駆動装置１を外部構造物である冷蔵庫へ取り付けるために設けられており、基部８１の長手方向の全長に亘って設けられている。取付部８５には、ネジ等が挿通される穴部８５ａが形成されている。この穴部８５ａは、前記した流体導入管２と流体導出管３との干渉を避けるために、取付部８５を正面から見た図１において、軸線Ｘの径方向で、これら流体導入管２と流体導出管３よりも径方向外側に位置している。
【００７１】
図９に示すように、基部８１の長手方向における両側には、軸線Ｘ方向の上側に向けて折り曲げて形成された補強壁８２、８３が設けられている。補強壁８２、８３は、それぞれ基部８１の幅方向の全長に亘って設けられており、補強壁の上端８２ａ、８３ａには、上カバー部材９０（図３参照）が載置されるようになっている。
実施の形態では、図１および図３に示すように、一方側の補強壁８２の上方にコネクタハウジング６２（外部接続端子６１）が位置するようになっており、他方側の補強壁８３に、下カバー部材８０と上カバー部材９０とを係合状態で保持するための係合腕８４が設けられている。
【００７２】
補強壁８２において係合腕８４は、幅方向の略中央部から、基部８１から離れる方向（上方）に延出して設けられており、係合腕８４の上端側には、軸線Ｘ側に膨出して係合部８４ａが設けられている。
係合部８４ａは、上カバー部材９０をモータＭの外ステータコア５９に外挿して取り付けた際に、上カバー部材９０の被係合部９２ａに係合するようになっており、これにより、上カバー部材９０の下カバー部材８０からの脱落が防止されている。
【００７３】
実施の形態の下カバー部材８０では、補強壁８２、８３が、軸線Ｘの軸方向で取付部８５の折り曲げ方向（下方向）とは反対の方向（上方向）に折り曲げられて、下カバー部材８０の基部８１の曲げ剛性が高められている。
これは、下カバー部材８０を隔壁２０の大径部２０２に外挿（圧入）して取り付ける際に、大径部２０２が当接片８１ｂを径方向外側に押し広げながら、基部８１の開口８１ａ内に挿入されて、下カバー部材８０が隔壁２０に固定されるようになっているため、この際の応力で、基部８１が大きく変形しないようにするためである。
ここで、実施の形態の下カバー部材８０では、長手方向の両側の補強壁８２、８３が、それぞれ同じ上方向に折り曲げられているため、曲げ加工により、補強壁８２、８３と取付部８５を形成する際の加工が、補強壁８２、８３が軸線Ｘの軸方向で異なる方向（上下方向）に曲げられる場合よりも容易に行えるようになっている。
【００７４】
図１から図３に示すように、上カバー部材９０は、モータＭのステータアッセンブリ４０と外ステータコア５９を収容する部材であり、ステータアッセンブリ４０の上面を覆うカバー部９１と、外ステータコア５９の外周を囲む周壁部９２と、コネクタハウジング６２の上面と側面とを囲むコネクタカバー部９３とを備えて構成される。
【００７５】
カバー部９１の中央には、軸方向から見てリング状の膨出部９１ａが設けられており、この膨出部９１ａの中央には、膨出部９１１内に位置する隔壁２０を視認可能とする開口９１ｂが設けられている。
カバー部９１における膨出部９１ａとは反対側には、リング状の嵌合壁９１ｃ（図８参照）が基部８１側の下方に突出して形成されており、この嵌合壁９１ｃは、ステータアッセンブリ４０の上部に設けられた略リング形状の取付部５７の段部５７ａ（図２参照）に内嵌している。
また、カバー部９１において、嵌合壁９１ｃから径方向外側の位置には、ステータアッセンブリ４０側の下方に突出して凸部９１ｄ、９１ｄが設けられている（図７参照）。凸部９１ｄ、９１ｄは、軸方向から見て膨出部９１ａを挟んで対称となる位置に設けられている。実施の形態では、これら凸部９１ｄ、９１ｄが、取付部５７の外周に設けた凹部５７ｂ、５７ｂに係止されて、上カバー部材９０の軸線Ｘ周りの回転が規制されるようになっている。
【００７６】
上カバー部材９０の周壁部９２は、前記したコイル端子５６との干渉を避ける範囲に設けられている。
上カバー部材９０では、下カバー部材の係合腕８４と整合する位置に、係合腕８４の係合部８４ａが係合する被係合部９２ａが設けられており、軸線Ｘを挟んでこの被係合部９２ａの反対側の位置に、コネクタカバー部９３が設けられている。
【００７７】
図３および図８に示すように、コネクタカバー部９３は、コネクタハウジング６２の上面を保護する上壁部９３ａと、コネクタハウジング６２の側面を保護する側壁部９３ｂ、９３ｂとを備えており、側壁部９３ｂ、９３ｂの各々には、基板カバー１２０の係合部１２５が係合する凹溝９３ｃ、９３ｃが設けられている。
なお、上壁部９３ａの先端側には、段部９３ａ１が設けられており、この段部９３ａ１には、コネクタハウジング６２の先端部６２ｂ(図１参照）が軸線Ｘの径方向で係合して、コネクタハウジング６２の軸線Ｘから離れる方向への移動が、段部９３ａ１により規制されている。
従って、このことによっても、コネクタハウジング６２の上カバー部材９０からの脱落が阻止されるようになっている。
【００７８】
以下、図１１を参照して、バルブ駆動装置１の動作例について説明する。
図１１は、バルブ駆動装置１の動作を説明するための図であって、弁体７２を下カバー部材８０側から見て、流体導出管３、４を仮想線で示した図であり、（ａ）は、流体導出管３、４の両方が弁体７２で閉じられた閉弁状態を、（ｂ）は、流体導出管４が弁体７２で閉じられた第一の閉弁状態を、（ｃ）は、流体導出管３、４の両方が開かれた第二の閉弁状態を、（ｄ）は、流体導出管３が弁体７２で閉じられた第三の閉弁状態を示す図である。
【００７９】
バルブ駆動装置１では、外部接続端子６１（６１ａ〜６１ｅ）、基板６０およびコイル端子５６を介したコイル３４への通電によって、ステータ組５０Ａ、５０Ｂのコイル３４が励磁され、かかる磁力によってロータ３０を回転させる。
ロータ３０の回転は、伝達軸３３の歯部３３ｃを介して弁体７２に伝達されて、弁体７２が軸線Ｘ２周りに回転駆動する。
【００８０】
＜閉弁状態＞
図１１（ａ）に示すように、切欠７２ｄが流体導出管３、４以外の位置にある状態では、弁体７２は、流体導出管３、４を閉塞する閉弁状態（全閉）であり、流体室Ｓから流体導出管３、４への流体の導出が遮断される。
【００８１】
＜第一の開弁状態＞
図１１（ｂ）に示すように、閉弁状態からギヤ７１および弁体７２が時計回りに回転し、切欠７２ｄが流体導出管３の位置に達した状態では、弁体７２は、流体導出管３を開放すると共に流体導出管４を閉塞する第一の開弁状態（一部開）であり、流体室Ｓから流体導出管３への流体の導出が許容されると共に流体導出管４への流体の導出が遮断される。
【００８２】
＜第二の開弁状態＞
図１１（ｃ）に示すように、第一の開弁状態からギヤ７１および弁体７２がさらに時計回りに回転し、切欠７２ｄが流体導出管３、４の位置に達した状態では、弁体７２は、流体導出管３、４を開放する第二の開弁状態（全開）であり、流体室Ｓから流体導出管３、４への流体の導出が許容される。
【００８３】
＜第三の開弁状態＞
図１１（ｄ）に示すように、第二の開弁状態からギヤ７１および弁体７２がさらに時計回りに回転し、切欠き４２ｄが流体導出管３の位置を通り過ぎた状態では、弁体７２は、流体導出管３を閉塞すると共に流体導出管４を開放する第三の開弁状態（一部開）であり、流体室Ｓから流体導出管３への流体の導出が遮断されるとともに流体導出管４への流体の導出が許容される。
【００８４】
以上の通り、実施の形態では、冷蔵庫（図示せず）との間で流体（冷媒）が循環可能な流路を構成し、冷蔵庫から流体導入管２を介して流体室Ｓ内へ導入された流体の導出先を、モータＭにより回転駆動される弁体７２により、流体導出管３、４のうちの少なくとも一方に切り替えるように構成されたバルブ駆動装置１であって、
モータＭは、一対のステータ組５０Ａ、５０Ｂが軸方向に並べて配置されたクローポール型ステッピングモータであり、
ステータ組５０Ａのコイル５４（Ａ相のコイル）とステータ組５０Ｂのコイル５４（Ｂ相のコイル）の各々は、
外周にコイル５４が巻回されると共に、軸線Ｘの軸方向の両端に径方向に延びる鍔部５３１、５３２を有するボビン５３と、
コイル５４から引き出された巻き線の端部が絡げられる複数のコイル端子５６（５６ａ〜５６ｃ）と、
複数のコイル端子５６（５６ａ〜５６ｃ）が圧入されて保持される端子保持部５５Ａ、５５Ｂと、を備え、
Ｂ相のコイル５４を備えるステータ組５０Ｂでは、軸方向で隣接するステータ組５０Ａ側の鍔部５３２に、端子保持部５５Ｂが設けられており、
Ａ相のコイル５４を備えるステータ組５０Ａでは、隣接するステータ組５０Ｂ側の鍔部５３１とは反対側の鍔部５３２に、端子保持部５５Ａが設けられており、
複数のコイル端子５６（５６ａ〜５６ｃ）の各々は、共通の基板６０を介して、それぞれ対応する外部接続端子６１（６１ａ〜６１ｅ）に接続されており、
外部接続端子６１（６１ａ〜６１ｅ）は、軸線Ｘの径方向から見てＢ相のコイルを備えるステータ組５０Ｂと重なる位置に設けられている構成とした。
【００８５】
このように構成すると、Ａ相のコイル５４とＢ相のコイル５４の複数のコイル端子５６（５６ａ〜５６ｃ）の各々を、共通の基板６０を介して、それぞれ対応する外部接続端子６１（６１ａ〜６１ｅ）に接続したので、相手側コネクタ端子の着脱によるコイル巻線部分への負荷を低減できる。
【００８６】
特に、Ｂ相のコイル５４を備えるステータ組５０Ｂでは、軸方向で隣接するステータ組５０Ａ側の鍔部５３２に、端子保持部５５Ｂが設けられており、Ａ相のコイル５４を備えるステータ組５０Ａでは、隣接するステータ組５０Ｂ側の鍔部５３１とは反対側の鍔部５３２に、端子保持部５５Ａが設けられており、外部接続端子６１（６１ａ〜６１ｅ）が、軸線Ｘの径方向から見てＢ相のコイルを備えるステータ組５０Ｂと重なる位置に設けられている構成とした。
これにより、複数のコイル端子５６（５６ａ〜５６ｃ）と外部接続端子６１（６１ａ〜６１ｅ）とが、軸方向に並べて配置されたＡ相のコイル５４を備えるステータ組５０ＡとＢ相のコイル５４を備えるステータ組５０Ｂの高さの範囲内に収まるので、ステッピングモータＭの軸方向の大きさを小さくすることができる。
【００８７】
外部接続端子６１は、基板６０からＢ相のコイルを備えるステータ組５０Ｂ側に延びる第１の部位６１−１と、第１の部位６１−１の先端から、端子保持部５５Ｂで保持された複数のコイル端子５６から離れる方向に延びる第２の部位６１−２とを少なくとも備える構成とした。
【００８８】
このように構成すると、基板６０の配線６０ａ〜６０ｅ（配線パターン）を片面のみに形成することができ、さらには、端子保持部５５Ａ、５５Ｂで保持された複数のコイル端子５６（５６ａ〜５６ｃ）と、複数の外部接続端子６１（６１ａ〜６１ｅ）との干渉を防止することができる。
特に、配線パターンが片面のみに形成された基板は、配線パターンが両面に形成された基板よりも安価であるので、バルブ駆動装置の作製コストの低減が可能になる。また、配線パターンが片面のみに形成された基板では、コイル端子５６および外部接続端子６１と配線パターンとの半田付けによる接続が、同一側の面で行われることになるので、かかる半田付け作業が、配線パターンが両面に形成された基板の場合よりも容易に行えることになる。
【００８９】
ボビン５３の各々は、軸線Ｘの軸方向で間隔をあけて配置された一対の内ステータコア５１、５２のフランジ部５１０、５１０の間に配置されて、基部５３０外周に巻回されたコイル５４を、内ステータコア５１、５２の内径側から軸方向に延びる極歯５１１、５２１の径方向外側に位置させていると共に、樹脂インサート成形により、一対の内ステータコア５１、５２と一体に形成されており、
ステータ組５０Ａ、５０Ｂは、隣接するステータ組５０Ｂ、５０Ａ側に位置する内ステータコア５１、５２のフランジ部５１０、５２０同士を互いに接触させて設けられており、
ステータ組５０Ｂの端子保持部５５Ｂは、ボビン５３の鍔部５３２と一体に一部品で形成されていると共に、軸線Ｘの径方向から見て、接触させて設けられたフランジ部５１０、５２０と重なる位置に設けられていると共に、さらに、ステータ組５０Ａのボビン５３の鍔部５３１と一体に形成されている構成とした。
【００９０】
このように構成すると、ステータ組５０Ｂでは端子保持部５５Ｂがフランジ部５１０、５２０厚みを利用して設けられるので、端子保持部５５Ｂの厚みＷａを厚くすることができる。これにより、端子保持部５５Ｂにおけるコイル端子５６の支持強度を高めることができる。
【００９１】
さらに、ステータ組５０Ａでは端子保持部５５Ａがフランジ部５２０の厚みを利用して設けられているので、端子保持部５５Ａの厚みＷｂも厚くすることができる。これにより、端子保持部５５Ａにおけるコイル端子５６の支持強度を高めることができる。
【００９２】
ステータ組５０Ａ、５０Ｂの一対の内ステータコア５１、５２は、樹脂インサート成形により、ボビン５３と一体に形成されており、
一対の内ステータコア５１、５２は、少なくともその一部が、一体に形成されたボビン５３内に埋め込まれている構成とした。
【００９３】
このように構成すると、軸線Ｘの軸方向でステータ組５０Ａ、５０Ｂの間に位置すると共に、ボビン５３に一体に形成された端子保持部５５Ｂの強度が、内ステータコア５１、５２と一体に構成されることで向上する。
【００９４】
Ａ相のコイル５４を備えるステータ組５０ＡとＢ相のコイル５４を備えるステータ組５０Ｂの外周を囲む外ステータコア５９を備えており、外ステータコア５９には、径方向外側から見て、複数のコイル端子５６（５６ａ〜５６ｃ）と重なる位置に、複数のコイル端子５６（５６ａ〜５６ｃ）との干渉を避けるための切欠き５９ａが設けられている構成とした。
【００９５】
このように構成すると、ステータ組５０Ａのコイル端子５６（５６ａ〜５６ｃ）と、ステータ組５０Ｂのコイル端子５６（５６ａ〜５６ｃ）とが、軸線Ｘの軸方向で近接して配置されているので、外ステータコア５９における切欠き５９ａを形成する範囲を狭くすることができる。
外ステータコア５９における切欠き５９ａを形成する範囲が広くなると、磁束の流れに好ましくない影響を及ぼす虞があるが、切欠き５９ａを形成する範囲を狭めることができるので、かかる影響の発生を抑えることができる。
【００９６】
ステータ組５０Ａ、５０Ｂの複数のコイル端子５６（５６ａ〜４５６ｃ）は、それぞれ端子保持部５５Ａ、５５Ｂで、軸線Ｘ周りの周方向に並べて配置されていると共に、
複数の外部接続端子６１（６１ａ〜６１ｅ）は、軸線Ｘ周りの周方向に並べて配置されており、
複数の外部接続端子６１（６１ａ〜６１ｅ）の周方向における間隔Ｗ２が、複数のコイル端子５６（５６ａ〜４５６ｃ）の周方向における間隔Ｗ１よりも小さく設定されている構成とした。
【００９７】
このように構成すると、コイル端子５６（５６ａ〜４５６ｃ）の周方向の間隔Ｗ１を広く取ることができる。そうすると、間隔Ｗ１が広くなった分だけ、端子保持部５５Ａ、５５Ｂにおけるコイル端子５６（５６ａ〜５６ｃ）の支持強度を高めることができるので、ボビン５３と一体に形成された端子保持部５５Ａ、５５Ｂに、コイル端子５６（５６ａ〜５６ｃ）を強固に固定することができる。
【００９８】
底板部１０（基部）の上面に固定されて底板部１０との間に流体の導入室（流体室Ｓ）を形成する隔壁２０（有底の筒壁部材）を備え、
隔壁２０は、
当該隔壁２０の底部２０ａ側に設けられてロータ３０（磁石３２）の外周を所定間隔で囲むと共に、ステータ組５０Ａ、５０Ｂを備えるステータアッセンブリ４０が外挿される小径部２０１と、
小径部２０１に隣接して設けられて隔壁２０の開口側に位置すると共に、ステータ組５０Ａ、５０Ｂのコイル５４（Ａ相のコイル、Ｂ相のコイル）を、磁石３２の径方向外側に位置決めする大径部２０２と、を備え、
ステータアッセンブリ４０は、大径部２０２側の下端に樹脂製の当接部５８を備えており、ステータアッセンブリ４０は、当接部５８を大径部２０２の円板部２０３に当接させて、軸線Ｘの軸方向における位置決めがされる構成とした。
【００９９】
このように構成すると、ステータアッセンブリ４０を小径部２０１に外挿させた際に、ステータアッセンブリ４０の金属製のステータコア（ステータ組５０Ａの内ステータコア５２）と金属製の隔壁２０（円板部２０３）とが接触して、隔壁が傷つくことを好適に防止できる。
【０１００】
隔壁２０とステータアッセンブリ４０を収容する有底筒状のカバー部材（上カバー部材９０）と、
下カバー部材８０の基部８１から、軸線Ｘの軸方向に沿って上カバー部材９０側に延びると共に、軸線Ｘの径方向の外側から上カバー部材９０（被係合部９２ａ）に係合して、上カバー部材を軸線Ｘの軸方向の所定位置で保持する係合腕８４（保持部材）と、をさらに備え、
軸方向から見て、係合腕８４は、複数のコイル端子５６（５６ａ〜５６ｃ）との干渉を避ける位置に設けられている構成とした。
【０１０１】
このように構成すると、係合腕８４が、ステータ組５０Ａ、５０Ｂのコイル端子５６（５６ａ〜５６ｃ）と、基板６０、そして外部接続端子６１（６１ａ〜６１ｅ）と干渉することを好適に防止できる。
【０１０２】
外部接続端子６１（６１ａ〜６１ｅ）の先端側を収容するコネクタハウジング６２が、上カバー部材９０に収容されて設けられており、
上カバー部材９０は、コネクタハウジング６２の先端部６２ｂと係合する段部９３ａ１（係合部）を備えている構成とした。
【０１０３】
このように構成すると、コネクタハウジング６２の上カバー部材９０からの脱落を防止することができる。
【０１０４】
下カバー部材８０の基部８１は、外部構造物（冷蔵庫）との取付部８５を備えており、取付部８５は、軸線Ｘの軸方向において外部接続端子６１が位置する側と反対側に設けられている構成とした。
【０１０５】
このように構成すると、外部接続端子６１に相手側コネクタ端子が接続されている状態であっても、バルブ駆動装置１の冷蔵庫への取付および冷蔵庫からの取外しが容易である。
【０１０６】
さらに、実施の形態では、ステータ組５０Ａのコイル５４（Ａ相のコイル）が絡げられるコイル端子５６（５６ａ〜５６ｃ）と、ステータ組５０Ｂのコイル５４（Ｂ相のコイル）が絡げられるコイル端子５６（５６ａ〜５６ｃ）を、それぞれ保持する端子保持部５５Ａ、５５Ｂが、軸線Ｘ方向で離間して設けられている構成としたので、Ａ相とＢ相のコイル５４からそれぞれ引き出した巻き線を、対応するコイル端子５６（５６ａ〜５６ｃ）に絡げるための空間を確保するために、端子保持部５５Ａで保持されたコイル端子５６（５６ａ〜５６ｃ）と、端子保持部５５Ｂで保持されたコイル端子５６（５６ａ〜５６ｃ）と、をそれぞれ軸線Ｘの周方向にずらして設ける必要がない。
【０１０７】
例えば、図５の（ａ）において、図中上側に位置するコイル端子５６ａ、５１ｂの間に、図中下側に位置するコイル端子５６ｂが位置するように、端子保持部５５Ａで保持されたコイル端子５６（５６ａ〜５６ｃ）と、端子保持部５５Ｂで保持されたコイル端子５６（５６ａ〜５６ｃ）と、をそれぞれ軸線Ｘの周方向にずらして設ける必要がない。
よって、コネクタハウジング６２が軸線Ｘの周方向に大きくなることを好適に防止できるので、冷蔵庫に付設されるバルブ駆動装置１のような、小型であることが要求されるバルブ駆動装置に、好適に適用できるバルブ駆動装置となる。
【０１０８】
以上、本発明の実施形態について説明したが、本発明は前記実施形態に限定されず、本発明の要旨を逸脱しない範囲で適宜変更可能である。例えば、本発明のバルブ駆動装置は冷蔵庫の冷媒以外の流体に流路に対しても適用可能であり、弁体７２によって開弁／閉弁するための構造も適宜変更可能である。
【符号の説明】
【０１０９】
１      バルブ駆動装置
２      流体導入管
３、４  流体導出管
１０    底板部
１５    接続部材
２０    隔壁
２０１  小径部
２０２  大径部
２０３  円板部
２１    軸部材
３０    ロータ
３１    基部
３２    磁石
３３    伝達軸
３４    コイル
４０    ステータアッセンブリ
５０Ａ、５０Ｂ  ステータ組
５１、５２    内ステータコア
５１０、５２０  フランジ部
５１０ａ、５２０ａ  貫通穴
５１０ｂ、５２０ｂ  切欠き部
５１１、  ５２１  極歯
５３    ボビン
５３０  基部
５３１、５３２  鍔部
５４    コイル
５５（５５Ａ、５５Ｂ）  端子保持部
５６（５６ａ〜５６ｃ）  コイル端子
５７    取付部
５８    当接部
５９    外ステータコア
６０    基板（リジッド基板）
６０ａ〜６０ｅ  配線
６１（６１ａ〜６１ｅ）  外部接続端子
６２    コネクタハウジング
６２ａ  係合突部
６２ｂ  先端部
７０    弁部
７１    ギヤ
７２    弁体
７３    軸部材
８０    下カバー部材
８１    基部
８２、８３    補強壁
８４    係合腕
８５    取付部
８６    台部材
８７    台部
８８（８８ａ、８８ｂ）  脚部
８９    腕部
９０    上カバー部材
９１    カバー部
９２    周壁部
９３    コネクタカバー部
１００  コネクタ保持部材
１０１  基部
１０２  壁部
１０３  枠部
１０４、１０５  当接部
１０６  開口
１０７  開口
１０８ａ、１０８ｂ  係合爪
１０９  ガイド溝
１１０  突出部
１２０  基板カバー
１２１  カバー部
１２２  側壁部
１２３  下壁部
１２４  ガイド部
１２５  係合部
Ｍ      モータ（ステッピングモータ）
Ｓ      流体室
Ｓｐ    スプリング
【図１】
0005972007.tif 000002
【図２】
0005972007.tif 000003
【図３】
0005972007.tif 000004
【図４】
0005972007.tif 000005
【図５】
0005972007.tif 000006
【図６】
0005972007.tif 000007
【図７】
0005972007.tif 000008
【図８】
0005972007.tif 000009
【図９】
0005972007.tif 000010
【図１０】
0005972007.tif 000011
【図１１】
0005972007.tif 000012